(57)【特許請求の範囲】
【請求項１】
単相３線式の分電盤で、１００Ｖ電圧と２００Ｖ電圧とを任意に切り替えできる複数個の分岐ブレーカを備えた分電盤の充電部において、前記箱体の背面に絶縁材料で形成された充電部支持台を取り付け、該充電部支持台には、突起体と保持体とからなる保持部を設け、前記銅バーのうち電圧相の銅バーを前記突起体と保持体とで前記箱体の背面に対して垂直に挟持させて配置すると共に、中性相の銅バーは、前記電圧相の銅バーの上方の位置に、幅広面を前記箱体の背面に平行に配置し、前記電圧相の銅バーはそれぞれの電圧相側に配置される分岐ブレーカに接続する接続銅バーを前記箱体の背面に対して平行に折曲して一体に形成し、前記中性相の銅バーには電圧に合わせた接続銅バーを取り付け可能に、該接続銅バーに電圧切り替え用銅バーを接続するネジ穴を設けたことを特徴とする分電盤の充電部。
【発明の詳細な説明】
【０００１】
【産業上の利用分野】
本発明は主幹ブレーカや分岐ブレーカ等の電気機器を箱体に収納し、電気機器を幅広の銅バーで接続して構成される分電盤の充電部に関する。
【０００２】
【従来の技術】
従来技術における分電盤の充電部は、図６に示すように、主幹バー３１の三相すべてを銅バーの幅広面を箱体の背面板３２と平行に配置していた。または、図７に示すように、分岐ブレーカに接続されるＲ相銅バー３３及びＴ相銅バー３４を同一平面上に、且つバー表面を箱体の背面板３５に対し略平行に配設すると共に、Ｓ相銅バー３６を箱体の背面板３５に対しＲ相銅バー３３及びＴ相銅バー３４より高い位置に、且つバー表面を箱体の背面板３５に対し略垂直に立設して構成したものがあった。または、図８に示すように、Ｓ相銅バー３７には分岐ブレーカ３８に電圧を供給するための足片３９と切換板４０をネジ止めしてあり、またＲ相銅バー４１とＴ相銅バー４２には同じく分岐ブレーカ３８に電圧を供給するための足４３、４４を設け、且つＲ相銅バー３３、Ｔ相銅バー３４からは先端をネジ止め端４５、４６とした足部４７、４８が伸びており、分岐ブレーカ３８への供給電圧を変えるには切換板４０をＳ相銅バー３６からＲ相銅バー３３またはＴ相銅バー３４のネジ止め端４５、４６にネジをゆるめてつけかえるというものもあった。
【０００３】
【発明が解決しようとする課題】
しかしながら、上記従来技術における分電盤の充電部では、主幹バーの配置で互いに対向する分岐ブレーカ間のスペースが多く必要となり、箱体が大型化することにより、分電盤の重量も増えてしまうという欠点があった。また、分岐二次側の結線スペースが少なくなって施工性が悪くなっていた。また、ブレーカに接続するために主幹バーに接続バーを延設したり、さらに２００Ｖ切替のための接続部を一体成形するために、図９〜１０に示す銅バーの展開図のように、分岐バー部が長くなって、材料の切り取ってしまう部分Ａが増え、無駄が多くなるという欠点があった。
【０００４】
【課題を解決するための手段】
そこで本発明は、施工の省力化、簡略化が可能で、低コストの分電盤を提供することを目的とし、その構造は、箱体の背面に絶縁材料で形成された充電部支持台を取り付け、充電部支持台には、突起体と保持体とからなる保持部を設け、銅バーのうち電圧相の銅バーを突起体と保持体とで箱体の背面に対して垂直に挟持させて配置すると共に、中性相の銅バーは、電圧相の銅バーの上方の位置に、幅広面を前記箱体の背面に平行に配置し、電圧相の銅バーはそれぞれの電圧相側に配置される分岐ブレーカに接続する接続銅バーを箱体の背面に対して平行に折曲して一体に形成し、中性相の銅バーには電圧に合わせた接続銅バーを取り付け可能に、接続銅バーに電圧切り替え用銅バーを接続するネジ穴を設けたことを特徴とする。
【０００５】
【発明の実施の形態】
本発明に係る分電盤の充電部は、主幹バーの電圧相であるＲ相、Ｔ相を、箱体の背面に取り付けた絶縁材料で形成した支持台に箱体の背面に対して垂直に配置し、中性相であるＳ相は箱体の背面に対して平行に配置する。それぞれの主幹バーにはブレーカに接続するための接続銅バーを延設する。１００Ｖで使用する場合は、さらに接続銅バーに設けた１００Ｖ用接続部にブレーカを接続する。
【０００６】
【実施例】
本発明に係る分電盤の充電部の実施例を図１〜図５の添付図面に基づいて説明する。
【０００７】
分電盤１は、主幹ブレーカ２や分岐ブレーカ３等の電気機器を箱体４に収納し、これらの電気機器を幅広の銅バーで接続して構成される。分電盤の充電部は、絶縁材料で形成された充電部支持台５に支持させる。充電部支持台５は、突起体６と保持体７とからなる保持部を設ける。電圧相であるＲ相、Ｔ相の銅バー８、９を幅広面を箱体４の背面１０に対して垂直に、突起体６と保持体７に挟持させる。中性相であるＳ相の銅バー１１は、幅広面を箱体４の背面１０に平行に配置する。
【０００８】
Ｒ相、Ｔ相の銅バー８、９それぞれに、接続銅バー１２を延設し、接続銅バー１２をブレーカ２、３に向けて折曲する。
【０００９】
Ｓ相の銅バー１０の略中央部には、ネジ穴１３を複数設け、１００Ｖ用銅バー１４をネジ止めする。接続銅バー１２には、ネジ穴１５を設け、１００Ｖから２００Ｖに電圧切り替えを行う場合には、２００Ｖ用銅バー１６を接続銅バー１２にネジ止めする。
【００１０】
Ｒ相とＴ相の銅バー８、９を幅広面を箱体４の背面１０に対して垂直に配置したり、２００Ｖ専用の接続部は設けず、Ｒ相とＴ相の接続銅バーに２００Ｖ用銅バー１６を接続して電圧切り替えを行うことで、Ｒ相とＴ相との距離が短くてすむので、材料の幅Ｂも小さくでき、切り取ってしまう部分Ｃも少なく無駄が減る。
【００１１】
本発明に係る分電盤の充電部は、上記実施例に限定されるものではなく、本発明の趣旨を逸脱しない範囲において適宜変更可能である。
【００１２】
【発明の効果】
以上のように本発明に係る分電盤の充電部は、箱体の背面に絶縁材料で形成された充電部支持台を取り付け、充電部支持台には、突起体と保持体とからなる保持部を設け、銅バーのうち電圧相の銅バーを突起体と保持体とで箱体の背面に対して垂直に挟持させて配置すると共に、中性相の銅バーは、電圧相の銅バーの上方の位置に、幅広面を前記箱体の背面に平行に配置し、電圧相の銅バーはそれぞれの電圧相側に配置される分岐ブレーカに接続する接続銅バーを箱体の背面に対して平行に折曲して一体に形成し、中性相の銅バーには電圧に合わせた接続銅バーを取り付け可能に、接続銅バーに電圧切り替え用銅バーを接続するネジ穴を設けたため、分電盤の充電部を極めてコンパクトに納めることができるので、分岐ブレーカの二次側結線スペースが広くとれ、施工の省力化、簡略化を図ることができる。また、分電盤全体の横幅も狭くできるので、軽量、省スペース化が可能になり、施工しやすくなる。箱体の小型化により、コストも低減できる。さらに、主幹バーの展開寸法が小さいので、材料費が大幅に削減でき、その点からも、コストが低減できる。絶縁材料で銅バーを支持するので、短絡事故等の発生もなく、安全な分電盤が提供できる。
【図面の簡単な説明】
【図１】本発明に係る分電盤の充電部を示す正面図である。
【図２】本発明に係る分電盤の充電部を示す断面図である。
【図３】本発明に係る分電盤の充電部を示す断面拡大図である。
【図４】本発明に係る分電盤の充電部の銅バーを示す斜視図である。
【図５】図４における銅バーの展開図である。
【図６】従来技術における分電盤の充電部を示す説明面図である。
【図７】従来技術における分電盤の充電部を示す説明面図である。
【図８】従来技術における分電盤の充電部を示す説明面図である。
【図９】図７における銅バーの展開図である。
【図１０】図８における銅バーの展開図である。
【符号の説明】
１      分電盤
２      主幹ブレーカ
３      分岐ブレーカ
４      箱体
５      充電部支持台
６      突起体
７      保持体
８      Ｒ相の銅バー
９      Ｔ相の銅バー
１０    背面
１１    Ｓ相の銅バー
１２    接続銅バー
１３    １００Ｖ用銅バー
１４    ネジ穴
１５    ２００Ｖ用銅バー
１６    ネジ穴
【図１】
0004466935.tif 000002
【図２】
0004466935.tif 000003
【図３】
0004466935.tif 000004
【図４】
0004466935.tif 000005
【図５】
0004466935.tif 000006
【図６】
0004466935.tif 000007
【図７】
0004466935.tif 000008
【図８】
0004466935.tif 000009
【図９】
0004466935.tif 000010
【図１０】
0004466935.tif 000011